(57)【特許請求の範囲】
【請求項１】
ボルト、ネジ等の回転可能機具において，該機具はこれを回すときに特定値のトルクを越えないようにするための制動機構を含んで成り、当該制動機構は該機具のボア（３）に挿入される基本的に円筒形のクリップ（４）を含んで成り、該クリップ（４）は軸方向に延在するスロット（６）として、該ボアの円筒壁に生じるバネ効果を該クリップに与えるために該クリップを該ボアに挿入したときに該クリップが特定の程度だけ圧縮されることになる斯ゝるスロットを有していることを特徴とする回転可能機具。
【請求項２】
該制動機構が該回転可能機具の回転軸と共軸関係にある、請求項１に係る機具。
【請求項３】
該クリップ（４）が旋回キーを挿入するためのソケット或いは凹所を含んで成る、請求項１或いは２に係る機具。
【請求項４】
該ソケットが六角形断面或いは正方形断面の貫通孔であり、該スロット（６）が該クリップの１端から他端まで軸方向に且つ該クリップの包絡面から該ソケットまで半径方向に延在している、請求項３に係る機具。
【請求項５】
該ボア（３）がその底の近くに環状溝（19）を有し、他方該クリップ（４）がその終端の１方に環状突起或いは棚（19）を有し、該突起或いは棚（19）が該溝（18）にスナップ式に嵌入され、その結果として該クリップ（４）を該ボア（３）の中で軸方向に係留するようになっている、先行請求項のいずれか１項に係る機具。
【請求項６】
該ボア（３）の底面が該ボアより小さい直径の穴（21）を具備しており、当該穴は該回転可能機具を回すための適当な旋回キーを挿入するためのものである、先行請求項のいずれか１項に係る機具。
【請求項７】
該回転可能機具がボルトやネジ等のねじ付き物品である、先行請求項のいずれか１項に係る機具。
【発明の詳細な説明】
本発明は主として、ボルト、ネジ等のねじ付き取付け具の過剰締付けを抑制するための制動機構（ダイナモメトリック・アレンジメント）を具備した添付の請求項１に係る回転可能機構（デバイス）に関する。
ネジ式とボルト式の連結子は非常に頻繁に、所定の実際要件を満たし得るように所定値のトルクで以て締め付けられなければならない。特定のトルクを与えるためには、高価で且つ敏感な特別のツールがこれまで必要であった。この種のツールが使用されなければ、ボルトネジを締め付け過ぎる危険として破壊の原因にさえなる斯ゝる著しい危険が存在する。
相異なるタイプの調整用のネジ、ボルト及びダイアルとの関係において、ねじ付き部品を連続旋回させることは、例えば最終値に既に達しているとき、或いはねじ付き部品或いはこれに直接連結された部品が何らかの方法で締め付けられており且つこの事実を締め付けているにも拘らず部品を回そうとするオペレータが見過したとき、非常に有害となる。この具体的な事例には、回転ツールを用いたボアの精密仕上げ加工におけるツールビットホルダの半径方向微調整がある。これらのツールでは、ツールビットホルダがねじ付きシャフトとスケールやマイクロメータネジにより調整される半径方向滑動部材によって回転軸に対し偏心配位させられる。予め設定された半径が得られているとき、滑動部材は固定ネジによって固定される。仕上げ穴明け操作の後、オペレータはスケールやマイクロメータネジを回す前に固定ネジを緩めることをやらずに見過ごし、その結果としてスケールやマイクロメータネジを傷つける可能性がある。
従って、本発明の第１の目的は所定のトルクを越えることなく回転可能取付け具を回すことにある。
本発明の別の目的は回転可能取付け具を、それが固く係留（ロック）されているときに回そうとする試みに対して保護することにある。
これらの目的並びに追加の目的は、請求項１の特徴部分に従った保護機構を含んで成る回転可能体を提供することによって、驚くほど簡単な仕方で達成された。
本発明はこれから、その限定するためではない説明のために、添付の図面との関係で更に詳しく記述される。その図面において：
図１は本発明に係わる保護機構を含んで成るボルトの斜視図である。
図２は保護機構を除いた状態における図１のものと同じボルトの斜視図である。
図３は本発明に係わるスリーブクリップの斜視図である。
図４は本発明に係わるクリップの別の実施例を示す斜視図である。
図５は本発明に係わるクリップの更に別の実施例を示す斜視図である。
図６は本発明に係わるクリップの更に別の実施例を示す斜視図である。
図７は本発明に係わる機構の用途を説明しているバランスの取れたボーリングヘッドの縦断面である。
図１、２はヘッド２を有するボルト１を示している。ヘッド２の頂面には円筒形のボア（軸孔）３が設けられている。このボア３はボルト１の軸方向延長線と同心状である。基本的に円筒形のクリップ４はボア３に嵌合している。図１、２に係わるクリップは六角形断面のソケット５を有している。ソケット５とクリップ４の包絡外面はスロット６を介して接続している。このスロットは六角形のコーナ１つに沿って、或いは六角形の辺の１つの中間に作られ、従ってこの辺を二部分に割っている（図３）。六角形断面の適宜のキーはボルトを回すためにソケット５に挿入することが出来る。
クリップ４はボア３に入っているときは、ボアの円筒壁に対して堅く押圧しなければならない。これを達成するには、クリップはスロット６に対面する二つの平坦な合同面を近付けることにより圧縮しなければならない。適切な態様では、クリップをプライヤによって圧縮しながらボアに挿入し、その後に開放することにより膨張させてボアに対して押圧させる。クリップを適宜のバネ鋼で作ることにより、ボアの摩擦ジョイントは鋼の固有のバネ効果によって十分強いものになる。この摩擦によって、所定の最大トルク或いはトルク範囲はクリップからボア壁に伝達される。クリップに適した鋼は43−50ロックウエルのバネ鋼硬度を有するものが好ましい。１例を挙げれば、50CRV4と呼称される鋼を使用することが出来る。
自明なことではあるが、ソケットは対応するキーに適合させるために、適当な如何なる断面も有することが出来る。１例として、ソケットは正方形の断面を有し得る。更に、ソケットは「トリックス（torx）」として知られる断面を、トリックス・キーに合うものとして有し得る（図５）。好適例としてはその程度は低いとはいえ、本発明に係るクリップを普通のスクリュードライバ（図４）或いは「フイリップ」キー（Philip−key）に適合させるようにも形成することが出来る。後者の２例は図１、２、３、６のようなソケットを包含しないが、包絡面から半径方向へクリップの中心軸の側を通って延在するスロット６′を含む。図４では、スクリュードライバ用のスリット７はスロット６′に対して直角に且つ半径方向に、スロット６′の両側の上に同じ距離だけ延在している。図５では、凹所８がフィリップ・キーに合うように形成され、それによりこのキーの２つの直立突起がスロット６′に嵌合するようになっている。
１例として、図７はバランスの取れたボーリングヘッドにおける本発明の用途を分解縦断面によって示している。自明なことではあるが、これはアンバランスなボーリングツールのために等しく良好に使用され得る。番号９はボーリングヘッドの回転軸を指し、10はツールビットホルダ或いはボーリングバーを挿入するためのオリフィスを指定している。このバーは予め穿削された穴表面を仕上げと滑面の加工を行うために偏心配位される。バー10はネジ手段12によってボア13に半径方向へ滑動され得る滑動部材11に固定される。ネジ手段12は滑動部材11に、好ましくは滑動部材11に固く付設された赤黄銅の内ネジ付きシリンダ24を介して、螺結される。更に、ネジ手段12は保留用断続リング14によって半径方向に保留される。このリングはボア13に設けた環状凹所23にキッチリと嵌合される。ネジ手段12のヘッド15は保留用リング14を通って突出し、スケールダイアル16に定着状ではあるが回転可能に継合されている（保留用リング14は回転不能である）。ヘッド15は図３に係るクリップ４を挿入するためのボア３を含む。ボア３の底には、ボア３より直径が僅かに大きい環状溝18が配設されている。クリップ４は溝18にスナップ式に嵌入するように配設された対応する環状突起、即ち棚19を含み、この突起19はクリップを軸方向に係留（ロック）し、結果としてクリップがボア３から落ちる事態を阻止する。自明であるが、突起19は更に複数のセグメントに分割されていて、それにより突出セグメント間の隙間は包絡円筒面の局部を形成している。棚19の後部はボア３に対するクリップの挿入を容易にするために円錐状傾斜壁に形成されている。滑動部材11がその所定位置に達したとき、ロック用或いはクランプ用のネジ20によって固く係留される。後に、オペレータがダイヤルスケール16とネジ手段20を回すことによって滑動部材11を再位置付けしようと企図したとき、彼は先ずロックネジ20を緩める行為をせずに見過ごしてしまう可能性がある。精密に調製可能なボーリングツールを用いた場合であって、ネジ手段12のねじが非常に小さいピッチを有している場合には、彼／彼女はロックネジ20によって奏される抵抗を感じさえしない可能性がある。このような場合、ネジ手段12及び／或いは滑動手段11及び／或いはアッセンブリのその他の部品のねじ山が回復不能に損傷を被る事態になり得る。本発明のクリップがネジ手段12に挿入されている場合に、オペレータがクランプネジ20を緩めることを忘れたときに起きる只一つの事態はクリップがボア３の中で回転することである。
クリップ４がボア内で回転するという事実に拘らず本発明に係る回転可能器具が回転させられない事態、例えばボルトが長期不使用後には錆のために固着される事態、が起こり得る。それ故に、本発明の好適例によれば、ボア３の底はボア３より小さな直径を有する適当な形状の穴21を具備している。
穴21は六角形のものが適切である。従って、小さな六角形キーを用いると、クリップ４が回転するという事実に拘らずネジ手段を回転させることが出来る。
【図１】
0003609417.tif 000002
【図３】
0003609417.tif 000003
【図４】
0003609417.tif 000004
【図５】
0003609417.tif 000005
【図６】
0003609417.tif 000006
【図２】
0003609417.tif 000007
【図７】
0003609417.tif 000008